(57)【特許請求の範囲】
【請求項１】
食品を収納する加熱室と、
前記加熱室を開閉するドアと、
高周波の電波を発することにより、前記加熱室内の食品を加熱する高周波発振器と、
前記高周波発振器に電力を供給する電源回路と、
前記電源回路の開閉を切換えるドアスイッチと、
前記ドアスイッチを収納するスイッチケースと、
前記スイッチケースから突出し、前記スイッチケース内に押し込まれることにより、前記ドアスイッチに前記電源回路の開閉を切換えさせるスイッチボタンと、
前記スイッチケースの表面上に接触しない程度の長さを有し、前記ドアが閉じられるときに前記スイッチケースの上部の所定の支点を中心に回転し、前記スイッチボタンを前記スイッチケース内に押し込むスイッチレバーと、
前記スイッチレバーの下端が前記スイッチボタンを前記スイッチケース内に押し込む位置で前記スイッチレバーの回転を停止させ、必要以上の回転を抑えるストッパと、を備え、
前記スイッチは前記スイッチレバーの下端近傍に固定され、
また、前記スイッチレバーの下端は、対向部と該対向部と鈍角をなす対向部とが設けられ、前記スイッチケースの表面を摺動するように弧を描いて回転するとともに、前記対向部と鈍角をなす対向部は、前記ストッパで停止するまで前記スイッチレバーを回転させることで前記スイッチボタンのみに突き当たり、前記スイッチボタンを前記スイッチケース内に押し込むことを特徴とする高周波加熱装置。
【請求項２】
前記スイッチレバーの回転を、前記スイッチレバーの一部が前記スイッチボタンを前記スイッチケース内に押し込む位置に至ったときに停止させるストッパをさらに含む、請求項１に記載の高周波加熱装置。
【発明の詳細な説明】
【０００１】
【発明の属する技術分野】
本発明は、スイッチに回路の開閉を切換えさせるスイッチボタンを含む高周波加熱装置に関する。
【０００２】
【従来の技術】
従来の上記のような高周波加熱装置等に備えられる回路開閉装置の一例を、図７に示す。図７（ａ）を参照して、スイッチケース２００は、スイッチボタン２００ａを備えている。また、スイッチケース２００は、電源回路等の回路の開閉を切換えるスイッチ（図示略）を収納している。そして、図７（ｂ）に示すように、スイッチボタン２００ａが、棒体２５１によりスイッチケース２００内に押し込まれると、スイッチケース２００内のスイッチは回路の開閉を切換える。なお、スイッチケース２００は、固定部材２０１により固定されている。そして、スイッチケース２００、スイッチケース２００内のスイッチ、スイッチボタン２００ａおよび棒体２５１により、回路開閉装置は構成されている。
【０００３】
【発明が解決しようとする課題】
しかし、図７の回路開閉装置では、棒体２５１は、スイッチボタン２００ａをスイッチケース２００内に押し込む際、スイッチボタン２００ａを押し込む方向に移動している。これにより、棒体２５１は、スイッチボタン２００ａをスイッチケース２００内に押し込めるとき、その勢いで、スイッチボタン２００ａにだけでなくスイッチケース２００にも突き当たり、図の下向きの力を加えることになる。したがって、何度もスイッチボタン２００ａがスイッチケース２００内に押し込められると、次第に固定部材２０１等が撓ってスイッチケース２００の固定位置が下方にずれる恐れがある。スイッチ２００の固定位置のずれが大きくなると、棒体２５１とスイッチボタン２００ａの相対位置がずれるため、棒体２５１は、スイッチボタン２００ａをスイッチケース２００内に押し込めるべきときに押し込められなくなる。つまり、スイッチケース２００の固定位置がずれると、スイッチケース２００内のスイッチが、回路の開閉の切換えをできなくなる。
【０００４】
本発明は、係る実情に鑑み考え出されたものであり、その目的は、スイッチの動作切換え時に、スイッチとそれを作動させるスイッチレバー等の作動片との相対位置がずれない回路開閉装置を提供することである。
【０００５】
また、本発明の他の目的は、スイッチボタンがスイッチケース内に押し込められる際に、スイッチケースに力のかからない高周波加熱装置を提供することである。
【０００６】
【課題を解決するための手段】
請求項１に記載の発明にかかる高周波加熱装置は、食品を収納する加熱室と、前記加熱室を開閉するドアと、高周波の電波を発することにより、前記加熱室内の食品を加熱する高周波発振器と、前記高周波発振器に電力を供給する電源回路と、前記電源回路の開閉を切換えるドアスイッチと、前記ドアスイッチを収納するスイッチケースと、前記スイッチケースから突出し、前記スイッチケース内に押し込まれることにより、前記ドアスイッチに前記電源回路の開閉を切換えさせるスイッチボタンと、前記スイッチケースの表面上に接触しない程度の長さを有し、前記ドアが閉じられるときに前記スイッチケースの上部の所定の支点を中心に回転し、前記スイッチボタンを前記スイッチケース内に押し込むスイッチレバーと、前記スイッチレバーの下端が前記スイッチボタンを前記スイッチケース内に押し込む位置で前記スイッチレバーの回転を停止させ、必要以上の回転を抑えるストッパと、を備え、前記スイッチは前記スイッチレバーの下端近傍に固定され、また、前記スイッチレバーの下端は、対向部と該対向部と鈍角をなす対向部とが設けられ、前記スイッチケースの表面を摺動するように弧を描いて回転するとともに、前記対向部と鈍角をなす対向部は、前記ストッパで停止するまで前記スイッチレバーを回転させることで前記スイッチボタンのみに突き当たり、前記スイッチボタンを前記スイッチケース内に押し込むことを特徴とする。
【０００７】
請求項１に記載の発明によると、高周波加熱装置において、スイッチレバーは、ドアが閉じられるときにスイッチケースの上部の所定の支点を中心に回転し、スイッチボタンのみに突き当てることにより、ドアスイッチに電源回路の開閉を切換えさせる。
【０００８】
これにより、ドアが閉じるときにドアスイッチに電源回路の開閉を切換えさせることができ、かつ、スイッチレバーは、スイッチボタンをスイッチケース内に押し込む際、スイッチケースに力をかけなくなる。
【０００９】
請求項２に記載の発明にかかる高周波加熱装置は、請求項１に記載の発明にかかる高周波加熱装置の構成に加えて、前記スイッチレバーの回転を、前記スイッチレバーの一部が前記スイッチボタンを前記スイッチケース内に押し込む位置に至ったときに停止させるストッパをさらに含むことを特徴とする。
【００１０】
請求項２に記載の発明によると、スイッチレバーの回転は、ストッパにより、スイッチレバーの一部がスイッチボタンをスイッチケース内に押し込む位置に至ったときに停止させられる。
【００１１】
これにより、スイッチレバーのスイッチボタンをスイッチケース内に押し込む状態が、確実に維持される。
【００１２】
【発明の実施の形態】
以下、図面を用いて、本発明の回路開閉装置および該回路開閉装置を含む高周波加熱装置の実施の形態の一例を説明する。
【００１３】
図１（ａ）に、高周波加熱装置の一例の電子レンジの斜視図を示す。電子レンジ１は、主に、本体２とドア３とからなる。本体２には、本体２の外郭を覆う外装部４と、コントロールパネル６と、複数の脚８が設けられている。なお、コントロールパネル６は、ユーザが電子レンジ１を操作するために、電子レンジ１の前面に設けられている。また、ドア３には、ユーザがドア３を開閉するための取手３ａが設けられている。図１（ｂ）は、図１（ａ）のドア３が手前に開かれた状態を示している。ドア３の奥の本体２内部には、加熱室５０が設けられている。
【００１４】
図２は、図１の電子レンジ１の電気回路を模式的に示す図である。図２を参照して、２０は、図２に示す回路全体に電力を供給する交流電源である。また、１０は高周波発振器の一例であるマグネトロンであり、１１は高圧トランス、１２は高圧ダイオード、１３は高圧コンデンサである。なお、マグネトロン１０は、高周波の電波を発して、加熱室５０内の食品を加熱調理する。ここで、高圧トランス１１と、高圧ダイオード１２と、高圧コンデンサ１３とにより、半波倍電圧回路を構成し、前記マグネトロン１０に高電圧（３〜４ｋＶ）を供給している。また、１４は、マグネトロン１０への給電停止後に高圧コンデンサ１３に溜まった電気を放電する放電抵抗である。なお、図２に示す高圧コンデンサ１３に並列に接続された放電抵抗としては、電源が切られた後、約１分程度で高圧コンデンサ１３の放電が完了するような抵抗値を有する抵抗が用いられる。
【００１５】
また、１５はドアスイッチであり、１６はドア検知スイッチである。ドアスイッチ１５およびドア検知スイッチ１６は、いずれも、ドア３が開かれると図２に示す回路を開き、ドア３が閉じられると、当該回路を閉じるように構成されている。したがって、ドア３が開かれていると、ドアスイッチ１５が回路を開き、トランス１１に交流電源２０からの電力が供給されないため、マグネトロン１０は電波を発することができない。
【００１６】
一方、１８、１９は、それぞれ加熱調理のためにマグネトロン１０への通電を規制する出力調整用リレー、メインリレーである。メインリレー１９は、加熱調理が行なわれている間中オンされているが、出力調整用リレー１８は、マグネトロン１０の出力を調整するために、加熱調理の最中にもオン／オフを繰返している。出力調整用リレー１８およびメインリレー１９のオン／オフは、制御回路２１により制御されている。また、制御回路２１には、ドア検知スイッチ１６およびコントロールパネル６が接続されている。そして、制御回路２１は、ユーザがコントロールパネル６に入力した調理メニューに応じて、メインリレー１９および出力調整用リレー１８をオン／オフする。２２は、制御回路２１に一定電圧の電力を供給する定電圧回路である。
【００１７】
１７はモニタスイッチであり、ドアスイッチ１５とは逆に、ドア３が開かれると図２に示す回路を閉じ、ドア３が閉じられると当該回路を開くように構成されている。モニタスイッチ１７は、ドア３が開かれてもドアスイッチ１５、出力調整用リレー１８およびメインリレー１９が何らかの原因で回路を開かない場合に、短絡回路を形成してヒューズ２３を切り、マグネトロン１０への通電を回避するために設けられている。これにより、ドア３が開いた状態でマグネトロン１０が高周波の電波を発するという危険な状況を確実に回避できる。
【００１８】
次に、電子レンジ１におけるドア３の開閉機構およびドアスイッチ１５を含む回路開閉装置について説明する。図３は、電子レンジ１の大まかな分解斜視図である。電子レンジ１においては、底板７上に本体枠５が載置され、固定される。本体枠５は、加熱室５０を備えている。また、本体枠５は、後述するドア３の開閉のための部材、ドア３の凸部３ｂをそれぞれ通すための開閉部材用孔５２、ドア凸部用孔５４と、前述のコントロールパネル６を嵌め込むためのコントロールパネル用孔５３とを備えている。そして、本体枠５は、図示せぬ種々の部品が取付けられた後、外装部４に覆われる。
【００１９】
本体枠５は、加熱室５０の左右両方の外壁に、ドア３と接続するための部材を備えている。また、本体枠５は、右側に、ドアスイッチ１５を含む回路開閉装置を備えている。図４は、ドア３と本体枠５の右側の接続部材および回路開閉装置の構造を説明するための図である。なお、ドア３は、接続部材を内部に備えている。
【００２０】
図４（ａ）は、ドア３を閉じた状態を示し、図４（ｂ）は、ドア３を開いた状態を示す。図４を参照して、本体枠５には、ローラ台５６が取付けられている。ローラ台５６上には、ドア支え板５８の一部とローラ５７が取付けられている。また、ばね５９の一端は、ローラ台５６に取付けられている。そして、ばね５９の他端は、ドアアーム５５の一端に取付けられている。また、ドアアーム５５とドア支え板５８のそれぞれの一端は、ドア３に固定されている。ドア３を開くと、つまり、ドア３が図４（ａ）の状態から図４（ｂ）の状態に変化すると、ドアアーム５５は、ローラ５７との接点をずらしながら、反時計方向に回転する。
【００２１】
１６０は、ドア検知スイッチ１６を収納するスイッチケースである。スイッチケース１６０はスイッチ板１６０ａを備えている。スイッチ板１６０ａが押圧されるとドア検知スイッチ１６が図２に示す回路を閉じ、その押圧が解除されるとドア検知スイッチ１６が当該回路を開く。また、スイッチ板１６０ａは、図４（ａ）ではドアアーム５５に押圧され、図４（ｂ）ではその押圧から解放されている。したがって、ドア３が開かれると、ドア検知スイッチ１６は回路を開き、ドア３が閉じられると、ドア検知スイッチ１６は回路を閉じる。
【００２２】
一方、本体枠５の上部には、スイッチレバー１５１が取付けられている。また、ドア３の一端には、凸部３ｂが設けられている。凸部３ｂは、図４（ａ）に示すようにドア３が閉じられると、スイッチレバー１５１の上部に押し当てられる。そして、スイッチレバー１５１は、その上端に凸部３ｂが押し当てられると、スイッチレバー支点１５２を支点として、時計方向に回転する。
【００２３】
スイッチレバー１５１の下端近傍には、ドアスイッチ１５、モニタスイッチ１７をそれぞれ収納するスイッチケース１５０、１７０が固定されている。以下、スイッチレバー１５１が回転すると、どのようにスイッチケース１５０、１７０に作用するかについて、図５を用いて説明する。
【００２４】
図５（ａ）、（ｂ）は、それぞれ図４（ｂ）、（ａ）のスイッチレバー１５１付近を示す図である。図５（ａ）および（ｂ）を参照して、スイッチケース１５０、１７０には、それぞれスイッチケース１５０、１７０から突出し、スイッチケース１５０、１７０内に押し込まれることにより、ドアスイッチ１５、モニタスイッチ１７にそれぞれ回路を閉じさせるスイッチボタン１５ａ（図５（ａ）参照）、１７ａ（図５（ｂ）参照）が設けられている。また、スイッチケース１５０、１７０は、それぞれ、固定部材１５０ａ、１７０ａによって、本体枠５に固定されている。また、スイッチレバー１５１の一部は、ばね１５３の一端が接続されている。なお、ばね１５３の他端は、本体枠５に固定されている。
【００２５】
図５（ａ）の、ドア３が開いた状態では、スイッチレバー１５１の下部にある第１の対向部１５１ａにより、スイッチボタン１７ａはスイッチケース１７０内に押し込まれている。この状態から、ドア３が閉じられ、スイッチレバー１５１の上端にドア３の凸部３ｂが押し当てられると、前述のようにスイッチレバー１５１がスイッチレバー支点１５２を支点として回転する。このとき、スイッチレバー１５１の下端がスイッチボタン１５ａの先端に突き当たることにより、図５（ｂ）に示すように、スイッチボタン１５ａはスイッチケース１５０内に押し込まれる。
【００２６】
なお、ドア３が閉じられた状態から開かれる場合には、スイッチレバー１５１の上端に押し当てられていた凸部３ｂが、スイッチレバー１５１の上端から離れていく。これにより、スイッチレバー１５１が、図５（ｂ）に示す状態からスイッチレバー支点１５２を支点として反時計方向に回転し、図５（ａ）に示す状態に戻る。
【００２７】
また、１５４は、スイッチレバー１５１が時計方向に回転し過ぎることを防止するためのストッパである。ストッパ１５４によりスイッチレバー１５１は必要以上に回転することを抑えられるため、スイッチレバー１５１の下端がスイッチボタン１５ａを通り過ぎることが回避される。これにより、ドア３が閉じられていると、確実に、スイッチボタン１５ａのスイッチケース１５０内に押し込まれる状態が維持される。
【００２８】
また、１５５は、スイッチレバー１５１が反時計方向に回転し過ぎることを防止するためのストッパである。ストッパ１５５によりスイッチレバー１５１の必要以上の回転が抑えられるため、ドア３が開いているとき、スイッチレバー１５１の第１の対向部１５１ａが、スイッチケース１７０に必要以上に上向きの力を加えてしまうことが回避される。
【００２９】
一方、スイッチレバー１５１の下端には、第２の対向部１５１ｂと、該第２の対向部１５１ｂと鈍角をなす第３の対向部１５１ｃが設けられている。ここで、スイッチレバー１５１が時計方向に回転する際に、スイッチレバー１５１の下端がどのようにスイッチボタン１５ａをスイッチケース１５０内に押し込むかについて説明する。図６に、スイッチレバー１５１が時計方向に回転する際のスイッチレバー１５１の下端とスイッチボタン１５ａとを示す。
【００３０】
図６（ａ）は、スイッチレバー１５１が時計方向の回転をし始める状態を示しており、図５（ａ）のスイッチレバー１５１の下端の拡大図に相当する。次に、図６（ｂ）は、スイッチレバー１５１の時計方向の回転がある程度進んだ状態を示しており、図５（ａ）と図５（ｂ）の間の状態でのスイッチレバー１５１の下端の拡大図に相当する。図６（ｂ）では、スイッチレバー１５１の第３の対向部１５１ｃが、スイッチボタン１５ａの右側面から左に向けて、スイッチケース１５０の表面を摺擦するようにスイッチボタン１５ａに近づき、スイッチボタン１５ａに突き当たる。これにより、スイッチボタン１５ａは、スイッチケース１５０内に押し込められていく。そして、図６（ｃ）は、スイッチレバー１５１が時計方向の回転がストッパ１５４により停止された状態を示しており、図５（ｂ）のスイッチレバー１５１の下端の拡大図に相当する。図６（ｃ）に示す状態では、スイッチボタン１５ａは、スイッチレバー１５１の下端の、第２の対向部１５１ｂと第３の対向部１５１ｃの中間部分によって、スイッチケース１５０内に押し込まれている。
【００３１】
スイッチボタン１５ａが、スイッチレバー１５１の回転によってスイッチケース１５０内に押し込められるとき、スイッチレバー１５１の下端は、スイッチケース１５０に向かって直進するのではなく、スイッチケース１５０の表面を摺擦するように、弧を描いている。つまり、スイッチレバー１５１がスイッチボタン１５ａに力を加える方向は、図６（ｂ）中の矢印Ｑで示す方向でなく、矢印Ｐで示す方向である。このように、スイッチレバー１５１が回転しながらスイッチボタン１５ａに力を加えることにより、スイッチボタン１５ａを押し込む際にスイッチレバー１５１はスイッチボタン１５ａのみに突き当たる。したがって、スイッチケース１５０にかかる力は、スイッチレバー１５１がスイッチケース１５０に向かって直進する場合より、格段に小さくなる。これにより、複数回スイッチボタン１５ａがスイッチケース１５０内に押し込められても、スイッチケース１５０の位置が下方向にずれることは、極力回避される。
【００３２】
また、図６（ｃ）に示すように、スイッチレバー１５１は、その下端が、スイッチケース１５０の表面上に接触しない程度の長さに設計されている。したがって、スイッチケース１５０に突き当たり、その表面を直接押圧することはできない。これにより、長期間図６（ｃ）に示す状態が続いても、つまり長期間ドア３の閉じられた状態が続いても、スイッチケース１５０自体が下方向に押さえられることはない。これにより、スイッチケース１５０の位置が下方向にずれることは、極力回避される。
【００３３】
以上説明した本実施の形態では、図２に示す電気回路により、高周波発振器に電力を供給する電源回路が構成されている。また、ドアスイッチ１５により、電源回路の開閉を切換えるドアスイッチが構成されている。また、スイッチケース１５０により、ドアスイッチを収納するスイッチケースが構成されている。また、スイッチボタン１５ａにより、スイッチケースから突出し、スイッチケース内に押し込まれることによりドアスイッチに電源回路の開閉を切換えさせるスイッチボタンが構成されている。また、スイッチレバー１５１により、ドアが閉じられるときにスイッチケースの上部の所定の支点（スイッチレバー支点１５２）を中心に回転し、その一部がスイッチボタンのみに突き当たることにより、スイッチボタンをスイッチケース内に押し込むスイッチレバーが構成されている。
【００３４】
なお、以上説明した本実施の形態では、ドアスイッチ１５と、スイッチケース１５０と、スイッチボタン１５ａと、スイッチレバー１５１とにより、回路開閉装置が構成されている。
【００３５】
また、以上説明した本実施の形態では、高周波加熱装置のドアの一例として、ドアの取手を下方に引いたり上方に戻すことにより加熱室を開閉する、いわゆる縦開き式のドアを含む高周波加熱装置を示したが、本発明はこれに限定されるものではない。ドアの取手を左右一方側に引いたり左右他方側に戻すことにより加熱室を開閉する、いわゆる横開き式のドアを含む高周波加熱装置に適用することもできる。
【図面の簡単な説明】
【図１】  本発明の高周波加熱装置の一例の電子レンジを示す図である。
【図２】  図１の電子レンジの電気回路を模式的に示す図である。
【図３】  図１に示した電子レンジの枠部分の分解斜視図である。
【図４】  図１の電子レンジの接続部材および回路開閉装置の構造を説明するための図である。
【図５】  図４のスイッチレバーの周辺を示す図である。
【図６】  図５のスイッチレバーの下端周辺を示す図である。
【図７】  従来の回路開閉装置の構造を説明するための図である。
【符号の説明】
１  電子レンジ
３  ドア
１５  ドアスイッチ
１５ａ  スイッチボタン
１７  モニタスイッチ
１５１  スイッチレバー
１５１ａ  第１の対向部
１５１ｂ  第２の対向部
１５１ｃ  第３の対向部
１５２  スイッチレバー支点
１５４、１５５  ストッパ
１５０、１６０、１７０  スイッチケース
【図１】
0003643679.tif 000002
【図２】
0003643679.tif 000003
【図３】
0003643679.tif 000004
【図４】
0003643679.tif 000005
【図５】
0003643679.tif 000006
【図６】
0003643679.tif 000007
【図７】
0003643679.tif 000008